(57)【要約】【課題】端子部に対する電線の接触状態が不安定になりにくい端子装置及びそれを備えた配線器具を提供する。【解決手段】端子装置１は、端子部２と、押付部３と、鎖錠部４と、対向部５と、側壁部６と、を備える。押付部３は、挿入口１１から挿入方向に沿って挿入される電線１００を端子部２との間に挟み込む。鎖錠部４は、電線１００に接触して電線１００の挿入口１１側への移動を規制する。対向部５は、端子部２の一表面２０と対向するように配置され、端子部２との間に押付部３及び鎖錠部４が収まる収容空間５０を形成する。側壁部６は、端子部２と対向部５とを連結する。側壁部６は、端子部２及び対向部５のうち、端子部２の一表面２０に平行であって挿入方向に直交する幅方向の少なくとも一端部同士を連結する。【選択図】図１
2017204415.tif 000002
【特許請求の範囲】
【請求項１】
端子部と、
前記端子部の一表面と対向するように配置され、挿入口から挿入方向に沿って挿入される電線を前記端子部との間に挟み込む押付部と、
前記端子部の前記一表面と対向するように配置され、前記電線に接触して前記電線の前記挿入口側への移動を規制する鎖錠部と、
前記端子部の前記一表面と対向するように配置され、前記端子部との間に前記押付部及び前記鎖錠部が収まる収容空間を形成する対向部と、
前記端子部と前記対向部とを連結する側壁部と、
を備え、
前記側壁部は、前記端子部及び前記対向部のうち、前記端子部の前記一表面に平行であって前記挿入方向に直交する幅方向の少なくとも一端部同士を連結している
端子装置。
【請求項２】
前記端子部と前記押付部とを連結する連結部を更に備え、
前記連結部は、前記端子部のうち、前記挿入方向における前記挿入口とは反対側の端部と、前記押付部とを連結している
請求項１に記載の端子装置。
【請求項３】
前記挿入方向において、前記連結部における前記挿入口とは反対側の端部から前記挿入口までの距離は、前記対向部及び前記側壁部における前記挿入口とは反対側の端部から前記挿入口までの距離以下である
請求項２に記載の端子装置。
【請求項４】
前記端子部の前記一表面から突出しており、前記電線に対して前記幅方向の両側に位置するガイド部を更に備える
請求項１〜３のいずれか１項に記載の端子装置。
【請求項５】
前記端子部に対し、通常位置と解除位置との間で相対的に移動可能な解除部材を更に備え、
前記解除部材は、前記通常位置から前記解除位置に移動するとき、前記鎖錠部に対して前記端子部の前記一表面から離れる向きの力を作用させ、前記鎖錠部による前記電線の移動の規制を解除する
請求項１〜３のいずれか１項に記載の端子装置。
【請求項６】
前記端子部の前記一表面から突出しており、前記電線に対して前記幅方向の両側に位置するガイド部を更に備える
請求項５に記載の端子装置。
【請求項７】
前記解除部材は、前記ガイド部の少なくとも一部を構成するガイド突起を有する
請求項６に記載の端子装置。
【請求項８】
前記ガイド突起は、前記挿入方向において、前記鎖錠部に対して前記挿入口側に位置する第１突片と、前記鎖錠部に対して前記挿入口とは反対側に位置する第２突片と、を有する
請求項７に記載の端子装置。
【請求項９】
前記第１突片は、前記解除部材が前記通常位置から前記解除位置に移動するときに、前記鎖錠部に接触して前記鎖錠部に対して前記端子部の前記一表面から離れる向きの力を作用させる作用部を含んでいる
請求項８に記載の端子装置。
【請求項１０】
前記第１突片は、前記解除部材が前記通常位置から前記解除位置に移動するときに前記作用部以外での前記鎖錠部との接触を回避するための空隙を前記鎖錠部との間に形成する、回避部を含んでいる
請求項９に記載の端子装置。
【請求項１１】
前記押付部は複数設けられており、
前記複数の前記押付部の各々は、前記端子部との間に個別に前記電線を挟み込む
請求項１〜１０のいずれか１項に記載の端子装置。
【請求項１２】
請求項１〜１１のいずれか１項に記載の端子装置と、
前記端子装置を収納した器具本体と、
を備える配線器具。
【発明の詳細な説明】
【技術分野】
【０００１】
本発明は、一般に端子装置及びそれを備えた配線器具に関し、より詳細には電線が挿入されることにより電線との接続が行われる端子装置及びそれを備えた配線器具に関する。
【背景技術】
【０００２】
従来、スイッチ等の配線器具への電線の結線を容易にする目的で、ねじによらずに結線可能な、いわゆる速結構造の端子装置が知られている（例えば特許文献１参照）。
【０００３】
特許文献１に記載の端子装置は、導電材料からなる端子部（端子板）と、錠ばねとを備えている。端子部はＣ字状（コ字状）に形成され、錠ばねは端子部で囲まれた空間に収納されている。錠ばねは、弾性を有する板材を曲成することにより、中央片、鎖錠片及び押圧片が形成されている。鎖錠片及び押圧片は、中央片の両端部に形成されている。この端子装置では、電線が挿入口（電線挿入孔）から挿入されると、錠ばねのばね力により鎖錠片及び押圧片と、端子部の接触片との間に電線が挟持される。この状態で、鎖錠片の先端縁が電線に食い込むことによって電線が抜け止めされ、押圧片が電線を端子部の方へ押圧することにより端子部との間に電線を弾性挟持する。
【先行技術文献】
【特許文献】
【０００４】
【特許文献１】特開２００２−１５１１７２号公報
【発明の概要】
【発明が解決しようとする課題】
【０００５】
上述したような従来の端子装置では、端子部と、端子部に電線を押し付ける部材（錠ばねの押圧片）とは別部品であるから、例えば端子部と錠ばねとの組立精度、又は温度特性等によって、端子部に対する電線の押付力にばらつきが生じる可能性がある。その結果、端子部に対する電線の接触状態が不安定になることがある。
【０００６】
本発明は上記事由に鑑みてなされており、端子部に対する電線の接触状態が不安定になりにくい端子装置及びそれを備えた配線器具を提供することを目的とする。
【課題を解決するための手段】
【０００７】
本発明の一態様に係る端子装置は、端子部と、押付部と、鎖錠部と、対向部と、側壁部と、を備える。前記押付部は、前記端子部の一表面と対向するように配置され、挿入口から挿入方向に沿って挿入される電線を前記端子部との間に挟み込む。前記鎖錠部は、前記端子部の前記一表面と対向するように配置され、前記電線に接触して前記電線の前記挿入口側への移動を規制する。前記対向部は、前記端子部の前記一表面と対向するように配置され、前記端子部との間に前記押付部及び前記鎖錠部が収まる収容空間を形成する。前記側壁部は、前記端子部と前記対向部とを連結する。前記側壁部は、前記端子部及び前記対向部のうち、前記端子部の前記一表面に平行であって前記挿入方向に直交する幅方向の少なくとも一端部同士を連結している。
【０００８】
本発明の一態様に係る配線器具は、前記端子装置と、前記端子装置を収納した器具本体と、を備える。
【発明の効果】
【０００９】
本発明は、端子部に対する電線の接触状態が不安定になりにくい、という利点がある。
【図面の簡単な説明】
【００１０】
【図１】図１Ａは、本発明の実施形態１に係る端子装置の基本構成を示す平面図である。図１Ｂは、同上の端子装置の基本構成を示す、図１ＡのＺ１−Ｚ１線断面図である。
【図２】図２は、同上の端子装置の基本構成を示し、Ｙ軸の負の向きから見た斜視図である。
【図３】図３Ａは、同上の端子装置の基本構成を示し、Ｙ軸の正の向きから見た図１ＡのＺ１−Ｚ１線斜視断面図である。図３Ｂは、同上の端子装置の基本構成を示し、Ｙ軸の負の向きから見た図１ＡのＺ１−Ｚ１線斜視断面図である。
【図４】図４Ａは、同上の端子装置について電線が接続されていない状態を示す、図１ＡのＺ２−Ｚ２線断面図である。図４Ｂは、同上の端子装置について電線が接続された状態を示す、図１ＡのＺ２−Ｚ２線断面図である。
【図５】図５は、同上の端子装置の全体構成を示し、Ｙ軸の正の向きから見た分解斜視図である。
【図６】図６Ａは、同上の端子装置の全体構成を示し、Ｙ軸の正の向きから見た図７ＡのＺ１−Ｚ１線斜視断面図である。図６Ｂは、同上の端子装置の全体構成を示し、Ｙ軸の負の向きから見た図７ＡのＺ１−Ｚ１線斜視断面図である。
【図７】図７Ａは、同上の端子装置の全体構成を示す平面図である。図７Ｂは、同上の端子装置の基本構成を示す、図７ＡのＺ２−Ｚ２線断面図である。
【図８】図８Ａは、同上の端子装置について電線が鎖錠部の手前まで挿入された状態を示す、図７ＡのＺ２−Ｚ２線断面図である。図８Ｂは、同上の端子装置について電線が押付部の手前まで挿入された状態を示す、図７ＡのＺ２−Ｚ２線断面図である。
【図９】図９は、本発明の実施形態１に係る配線器具を示す斜視図である。
【図１０】図１０は、本発明の実施形態２に係る端子装置を示し、Ｙ軸の正の向きから見た斜視図である。
【発明を実施するための形態】
【００１１】
（実施形態１）
（１）概要
実施形態１に係る端子装置１は、図１Ａ及び図１Ｂに示すように、電線１００が挿入されることにより電線１００との接続が行われる、いわゆる速結端子である。端子装置１は、導電性を有する端子部２を備えている。端子装置１では、端子部２に対して電線１００が接触することにより、端子部２と電線１００との間の電気的な接続が行われる。図１Ｂでは、電線１００を想像線（２点鎖線）で示している。端子装置１は、例えばスイッチ又はコンセント（アウトレット）等の配線器具に用いられる。端子装置１を備えた配線器具１０（図９参照）については、「（２．８）配線器具」の欄で説明する。
【００１２】
端子装置１は、図１Ａ〜図３Ｂに示すように、端子部２の他に、押付部３と、鎖錠部４とを備えている。挿入口１１から挿入される電線１００が、端子部２と押付部３との間に差し込まれることで、端子部２に対して電線１００が電気的に接続される。また、電線１００は、端子部２と鎖錠部４との間に差し込まれることで、鎖錠部４によって挿入口１１側への移動が規制され、電線１００の抜け止めがなされる。ここにおいて、挿入口１１は、端子部２と、押付部３及び鎖錠部４との間に導入される電線１００が通る空間であればよく、端子装置１は、実体を伴う挿入口１１を備えている必要はなく、挿入口１１としての機能を備えていればよい。図１Ａ〜図３Ｂでは、実体を伴わない挿入口１１を例示している。又は、挿入口１１は、後述するケース８（図５参照）に形成された、実体を伴う挿入孔８１（図６Ｂ参照）であってもよい。
【００１３】
ここで、電線１００が、導体からなる心線が絶縁被覆で覆われた絶縁電線である場合、絶縁被覆が剥かれた電線１００の先端部、つまり心線のみが、挿入口１１から挿入される。電線１００は、心線が１本の導体からなる単線と、心線が複数本の導線からなる撚り線とのいずれであってもよい。
【００１４】
（２）詳細
（２．１）基本構成
以下、端子装置１の基本構成について、図１Ａ〜図３Ｂを参照して詳しく説明する。
【００１５】
以下では、端子部２と押付部３とが対向する方向である「対向方向」をＸ軸方向とし、押付部３から見て端子部２側となる向きをＸ軸の正（プラス）の向きとして説明する。また、Ｘ軸方向と直交し、かつ電線１００が挿入される方向である「挿入方向」をＹ軸方向とし、電線１００が挿入される向きをＹ軸の正の向きとして説明する。さらに、Ｘ軸とＹ軸との両方に直交し、かつ端子装置１に接続される２本の電線１００が並ぶ方向である「幅方向」（図１Ｂの紙面に直交する方向）をＺ軸方向とし、図１Ｂの紙面の手前側をＺ軸の正の向きとして説明する。ただし、これらの方向は端子装置１の使用方向を限定する趣旨ではない。また、図面中のＸ軸、Ｙ軸及びＺ軸の各方向を示す矢印は説明のために表記しているに過ぎず、実体を伴わない。また、本開示で用いる「直交」は、厳密に９０度で交わる状態だけでなく、ある程度の誤差の範囲内で略直交する状態も含む意味である。さらに、対向方向と挿入方向とが直交していることは端子装置１に必須の構成ではなく、対向方向と挿入方向とは交差していればよい。
【００１６】
本実施形態に係る端子装置１は、電線１００を２本まで接続可能な２極型の端子装置である。すなわち、端子装置１は、挿入口１１が２つあり、これら２つの挿入口１１を通して２本の電線１００を同時に接続可能である。この端子装置１では、２本の電線１００は１つの端子部２に対して電気的に接続されるため、端子装置１に接続される２本の電線１００は端子部２を介して互いに電気的に接続されることになる。したがって、端子装置１は、例えば送り端子として用いられる。
【００１７】
端子装置１は、端子ブロック１２と、ばねブロック１３との２つの部材を備えている。端子ブロック１２及びばねブロック１３は別個の部材である。つまり、端子ブロック１２及びばねブロック１３は、互いに切り離され独立した部材である。端子ブロック１２には、端子部２及び押付部３が含まれている。ばねブロック１３には、鎖錠部４が含まれている。端子ブロック１２は、導電性を有する金属板からなる。ばねブロック１３は、弾性を有する金属板からなる。端子ブロック１２（押付部３）とばねブロック１３（鎖錠部４）とは、互いに異なる材料で構成されている。ばねブロック１３は、端子ブロック１２に囲まれた空間に収容されるように、端子ブロック１２と組み合わされる。
【００１８】
（２．２）端子ブロック
端子ブロック１２は、図１Ａ〜図３Ｂに示すように、端子部２及び押付部３に加えて、対向部５、側壁部６及び連結部３０を有している。図１Ｂは、図１ＡのＺ１−Ｚ１線断面図である。また、図３Ａ及び図３Ｂは、それぞれ図１ＡのＺ１−Ｚ１線斜視断面図である。
【００１９】
対向部５は、端子部２と対向するように配置される。対向部５は、端子部２との間に押付部３及び鎖錠部４が収まる収容空間５０を形成する。側壁部６は、端子部２と対向部５とを連結する。側壁部６は、端子部２及び対向部５のうち、Ｚ軸方向の少なくとも一端部同士を連結している。つまり、端子部２及び対向部５は、Ｚ軸方向の少なくとも一端部同士が、側壁部６にて互いに連結されている。
【００２０】
また、連結部３０は、端子部２と押付部３とを連結する。連結部３０は、端子部２のうち、Ｙ軸方向における挿入口１１とは反対側の端部と、押付部３とを連結している。つまり、端子部２及び押付部３は、Ｙ軸方向における挿入口１１とは反対側の端部（図１Ｂでは上端部）同士が、連結部３０にて互いに連結されている。
【００２１】
端子ブロック１２は、例えば銅（Ｃｕ）からなる。本実施形態では、端子装置１は２極型の端子装置であって、押付部３、側壁部６及び連結部３０は複数（ここでは２つ）ずつ設けられている。ただし、端子装置１は、２つの押付部３（又は、２つの側壁部６若しくは２つの連結部３０）が並ぶＺ軸方向において、面対称となる構成を採用している。そのため、以下では、特に断りがない限り、２つの押付部３のうちの一方の押付部３について説明し、他方の押付部３についての説明は適宜省略する。同様に、２つの側壁部６のうちの一方の側壁部６について説明し、他方の側壁部６についての説明は適宜省略する。さらに、２つの連結部３０のうちの一方の連結部３０について説明し、他方の連結部３０についての説明は適宜省略する。
【００２２】
ここでは、端子部２と押付部３と対向部５と側壁部６と連結部３０とは一体に形成されている。言い換えれば、端子部２と、２つの押付部３と、対向部５と、２つの側壁部６と、２つの連結部３０とは、１枚の金属板からなる。本実施形態では、端子ブロック１２を構成する端子部２、押付部３、対向部５、側壁部６、及び連結部３０は、１枚の金属板に打ち抜き加工及び曲げ加工が施されることにより形成されている。
【００２３】
端子部２は、矩形板状である。端子部２は、厚み方向（Ｘ軸方向）の一表面２０を押付部３と対向させるように構成されている。つまり、挿入口１１から挿入される電線１００は、端子部２の一表面２０と押付部３との間に導入され、端子部２の一表面２０に接触するようにして、端子部２と電気的に接続される。
【００２４】
また、端子部２におけるＺ軸方向の中央部には、端子部２を厚み方向に貫通するスリット２３が、Ｙ軸方向に沿って形成されている。スリット２３は、端子部２のＹ軸方向の両端間にわたって形成されている。言い換えれば、端子部２は、スリット２３によってＺ軸方向に二分されている。このスリット２３を通して、後述する解除部材９の一部が、端子部２と対向部５との間の収容空間５０に挿入される。
【００２５】
対向部５は、端子部２の一表面２０と対向する位置に配置されている。対向部５は、矩形板状であって、厚み方向（Ｘ軸方向）の一表面からなる内側面５１を、端子部２の一表面２０に対向させるように構成されている。ここでは、対向部５の内側面５１と、端子部２の一表面２０とは、互いに平行する。これにより、対向部５の内側面５１と端子部２の一表面２０との間には、押付部３及び鎖錠部４を収容するための収容空間５０が形成される。詳しくは「（２．３）ばねブロック」の欄で説明するが、対向部５は、内側面５１にて、ばねブロック１３の位置決めを行う。
【００２６】
側壁部６は、矩形板状である。本実施形態では、対向部５のＺ軸方向の両端部から、２つの側壁部６がＸ軸の正の向きに突出し、各側壁部６の先端部が端子部２に繋がっている。つまり、２つの側壁部６は、端子部２及び対向部５のうちＺ軸方向の両端部同士を、それぞれ連結する。２つの側壁部６は、厚み方向（Ｚ軸方向）の一表面からなる内側面６０同士を互いに対向させるように構成されている。ここでは、一方の側壁部６の内側面６０と、他方の側壁部６の内側面６０とは、互いに平行する。これにより、２つの側壁部６の一対の内側面６０の間には、収容空間５０が形成される。
【００２７】
以下では、端子ブロック１２のうち、押付部３及び連結部３０を除く部分を「筒状体１２０」という。つまり、筒状体１２０は、図２に示すように、端子部２と押付部３と対向部５と側壁部６とで構成される。
【００２８】
本実施形態においては、筒状体１２０は、曲げ加工により、１枚の金属板から、Ｙ軸方向に延びた角筒状に形成されている。筒状体１２０のうち、Ｘ軸方向に対向する一対の側板は、端子部２及び対向部５によって構成され、Ｚ軸方向に対向する一対の側板は、２つの側壁部６によって構成されている。本実施形態では、端子部２と側壁部６との間の連結部分（第１角部６１）、及び対向部５と側壁部との間の連結部分（第２角部６２）は、いずれも所定の曲率半径で湾曲している。
【００２９】
言い換えれば、帯状の金属板を、Ｙ軸方向の両面が開放された筒状に加工することによって、端子部２、対向部５、及び側壁部６が形成される。そして、端子部２の一表面２０、対向部５の内側面５１、及び側壁部６の内側面６０とで囲まれた空間、つまり筒状体１２０の内側の空間が、収容空間５０を構成する。よって、押付部３及び鎖錠部４は、筒状体１２０の内側に収容されることになる。
【００３０】
さらに、筒状体１２０の周方向の一部には、筒状体１２０のＹ軸方向の全長にわたってスリット２３が形成されている。つまり、筒状体１２０は、完全な角筒ではなく、周方向の一部に形成されたスリット２３によって、周方向に分断されている。筒状体１２０を構成する金属板の展開状態における両端部は、筒状体１２０においては、端子部２のうちスリット２３を挟んで対向する部分に相当する。
【００３１】
また、筒状体１２０のうち、Ｙ軸方向における挿入口１１側の端面に形成された開口部１２１は、開口形状が矩形状である。開口部１２１は、挿入口１１から挿入される電線１００を、筒状体１２０に囲まれた空間（収容空間５０）へ通すための孔である。さらに、詳しくは「（２．６）全体構成」の欄で説明するが、開口部１２１は、端子ブロック１２とばねブロック１３とを組み合わせる際に、収容空間５０にばねブロック１３を導入するための孔となる。
【００３２】
対向部５と端子部２とでは、Ｚ軸方向において略同等の長さとなるように寸法関係が規定されている。また、側壁部６のＸ軸方向の寸法は、対向部５（又は端子部２）のＺ軸方向の寸法に比べて、やや短い。さらに、対向部５と端子部２とでは、Ｙ軸方向において端子部２の方が短くなるように寸法関係が規定されている。対向部５と側壁部６とでは、Ｙ軸方向において略同等の長さとなるように寸法関係が規定されている。ここで、筒状体１２０のうちＹ軸方向における挿入口１１側の端縁（図１Ｂでは下端縁）は、端子部２と対向部５と側壁部６とでＹ軸方向の位置が揃っている。そのため、筒状体１２０のうちＹ軸方向における挿入口１１とは反対側の端縁（図１Ｂでは上端縁）は、端子部２に比べて、対向部５及び側壁部６がＹ軸の正の向きに突出した形状となる。
【００３３】
押付部３は、筒状体１２０の内側に形成された収容空間５０に配置される。押付部３は、端子部２の一表面２０における第１部位２１と、Ｘ軸方向（対向方向）に対向する位置に配置されている。ここでいう第１部位２１は、端子部２の一表面２０のうちで押付部３と対向する部位である。押付部３は、挿入口１１からＹ軸方向に沿って挿入される電線１００を、第１部位２１との間に挟み込むように構成されている。言い換えれば、挿入口１１から挿入された電線１００が、端子部２の一表面２０と押付部３との間に導入された状態で、押付部３は電線１００に対して一表面２０に押し付ける向きの力を作用させる。つまり、電線１００は、押付部３によって端子部２の一表面２０の第１部位２１に押し付けられることになり、端子部２と電線１００との間に適度な接触圧が生じる。
【００３４】
押付部３は、第１押付片３１と、第２押付片３２と、第３押付片３３とを有している。これら第１押付片３１、第２押付片３２及び第３押付片３３は、連結部３０側（つまり挿入口１１とは反対側）から、第１押付片３１、第２押付片３２、第３押付片３３の順に、Ｙ軸方向に並んでいる。
【００３５】
第１押付片３１は、矩形板状であって、端子部２の一表面２０に略平行する。第１押付片３１のうち、Ｙ軸方向における挿入口１１とは反対側の端部は、連結部３０に繋がっている。第１押付片３１のうち、Ｙ軸方向における挿入口１１側の端部には、第２押付片３２が繋がっている。第２押付片３２は、矩形板状であって、Ｙ軸方向において挿入口１１に近づくほど端子部２に近づくように、端子部２の一表面２０に対して傾斜している。第２押付片３２のうち、Ｙ軸方向における第１押付片３１とは反対側の端部には、第３押付片３３が繋がっている。第３押付片３３は、矩形板状であって、Ｙ軸方向において挿入口１１から離れるほど端子部２に近づくように、端子部２の一表面２０に対して傾斜している。
【００３６】
つまり、第３押付片３３は、第２押付片３２と共に、Ｚ軸方向に直交する断面形状が略Ｖ字状の構造を構成する。そして、押付部３は、第２押付片３２と第３押付片３３との連結部分からなる接触部３４において、端子部２の一表面２０に最も近くなる。言い換えれば、押付部３は、Ｘ軸方向及びＹ軸方向の両方を含む平面（Ｘ−Ｙ平面）内で、Ｘ軸方向において端子部２側に凸となるように湾曲した接触部３４を有している。ここでは、接触部３４は、所定の曲率半径で湾曲している。
【００３７】
連結部３０は、端子部２のうち、Ｙ軸方向における挿入口１１とは反対側の端部から、挿入口１１とは反対側に突出している。つまり、端子部２及び押付部３は、Ｙ軸方向における挿入口１１とは反対側の端部（図１Ｂでは上端部）からＹ軸の正の向きに突出するように設けられた連結部３０にて、互いに連結されている。
【００３８】
また、連結部３０は、湾曲部３０１を有している。湾曲部３０１は、Ｘ軸方向及びＹ軸方向の両方を含む平面（Ｘ−Ｙ平面）内で、Ｙ軸方向において挿入口１１とは反対側に凸となるように湾曲している。ここでは、湾曲部３０１は円弧状に湾曲している。湾曲部３０１の内径は、押付部３の第１押付片３１と端子部２との間隔に略一致する。
【００３９】
さらに本実施形態では、図１Ｂに示すように、Ｙ軸方向において、連結部３０における挿入口１１とは反対側の端部から挿入口１１までの距離Ｌ１０は、対向部５及び側壁部６における挿入口１１とは反対側の端部から挿入口１１までの距離Ｌ１１以下である。ここでは、筒状体１２０のうちＹ軸方向における挿入口１１側の端縁を基準面とし、基準面から、連結部３０における挿入口１１とは反対側の端縁までの距離を距離Ｌ１０、対向部５及び側壁部６における挿入口１１とは反対側の端縁までの距離をＬ１１とする。図１Ｂの例では、距離Ｌ１０は距離Ｌ１１と同一である（Ｌ１０＝Ｌ１１）。
【００４０】
すなわち、連結部３０は端子部２からＹ軸の正の向きに突出しながらも、対向部５及び側壁部６で囲まれた領域からはみ出さないように、連結部３０の突出量が規定されている。これにより、連結部３０の突出量の分だけ、押付部３が変位する際の支点から押付部３までの距離を大きくして、連結部３０の変形量（撓み量）を小さく抑えながらも、連結部３０が、筒状体１２０の内側に収まることになる。
【００４１】
上述したような構成の押付部３及び連結部３０は、筒状体１２０と一体に形成され、筒状体１２０と共に端子ブロック１２を構成する。ここで、筒状体１２０における端子部２に形成されたスリット２３は、連結部３０を通して第３押付片３３の先端まで延びている。２つの連結部３０は、スリット２３にてＺ軸方向に分離されている。同様に、２つの押付部３は、スリット２３にてＺ軸方向に分離されている。
【００４２】
（２．３）ばねブロック
ばねブロック１３は、図１Ａ〜図３Ｂに示すように、鎖錠部４に加えて、延出部７を有している。ばねブロック１３は、例えばステンレス鋼（ＳＵＳ）からなる。ばねブロック１３は、端子ブロック１２よりも厚みの小さい（薄い）金属板にて構成されている。本実施形態では、端子装置１は２極型の端子装置であって、鎖錠部４は複数（ここでは２つ）設けられている。ただし、端子装置１は、２つの鎖錠部４が並ぶＺ軸方向において、面対称となる構成を採用している。そのため、以下では、特に断りがない限り、２つの鎖錠部４のうちの一方の鎖錠部４について説明し、他方の鎖錠部４についての説明は適宜省略する。
【００４３】
ここでは、鎖錠部４と延出部７とは一体に形成されている。言い換えれば、２つの鎖錠部４と、延出部７とは、１枚の金属板からなる。本実施形態では、ばねブロック１３を構成する鎖錠部４及び延出部７は、１枚の金属板に打ち抜き加工及び曲げ加工が施されることにより形成されている。
【００４４】
鎖錠部４は、筒状体１２０の内側に形成された収容空間５０に配置される。鎖錠部４は、端子部２の一表面２０における第２部位２２と、Ｘ軸方向（対向方向）に対向する位置に配置されている。ここでいう第２部位２２は、端子部２の一表面２０のうちで、Ｙ軸方向において第１部位２１とは異なる部位であって、鎖錠部４と対向する部位である。Ｙ軸方向において、第１部位２１と挿入口１１との間に第２部位２２が位置する。つまり、第１部位２１及び第２部位２２は、挿入口１１側から、第２部位２２、第１部位２１の順に、Ｙ軸方向に並んでいる。
【００４５】
鎖錠部４は、挿入口１１からＹ軸方向に沿って挿入される電線１００に接触して、電線１００の挿入口１１側への移動を規制するように構成されている。言い換えれば、挿入口１１から挿入された電線１００が、端子部２の一表面２０と鎖錠部４との間に導入された状態で、鎖錠部４は第２部位２２との間に電線１００を挟み込むように構成されている。つまり、電線１００は、鎖錠部４によって端子部２の一表面２０の第２部位２２に押し付けられることになり、端子部２と電線１００との間に適度な接触圧が生じる。
【００４６】
ここでは、鎖錠部４は、矩形板状であって、Ｙ軸方向において挿入口１１から離れるほど端子部２に近づくように、端子部２の一表面２０に対して傾斜している。そして、鎖錠部４は、端子部２の一表面２０に最も近い先端縁４１にて、電線１００に接触して電線１００の挿入口１１側への移動を規制する。つまり、鎖錠部４は、延出部７との連結部分（ばね部４２）から、電線１００が挿入される向き（Ｙ軸の正の向き）に突出しており、その先端縁４１を端子部２の一表面２０に近づけるように、端子部２の一表面２０に対して傾斜している。そして、電線１００が、端子部２の一表面２０と鎖錠部４との間に導入された状態では、鎖錠部４は、先端縁４１にて電線１００と接触する。そのため、電線１００に対して、電線１００を挿入口１１側へ移動させる向き（Ｙ軸の負の向き）の力が作用すると、鎖錠部４の先端縁４１が電線１００に食い込むように、鎖錠部４が電線１００に引っ掛かることによって、電線１００の抜け止めがなされる。
【００４７】
延出部７は、図３Ａ及び図３Ｂに示すように、鎖錠部４のうち、Ｙ軸方向における挿入口１１側の端部（図３Ａでは下端部）から、挿入口１１とは反対側に突出している。つまり、ばねブロック１３のうち、鎖錠部４における先端縁４１とは反対側の端部から、Ｙ軸の正の向きに延びた部分が延出部７を構成する。鎖錠部４と延出部７との連結部分からなるばね部４２は、鎖錠部４に対して弾性力を作用させる。言い換えれば、ばねブロック１３は、Ｘ軸方向及びＹ軸方向の両方を含む平面（Ｘ−Ｙ平面）内で、Ｙ軸方向において挿入口１１側に凸となるように湾曲したばね部４２を有している。ここでは、ばね部４２は、所定の曲率半径で湾曲している。
【００４８】
延出部７は、第１延出片７１と、第２延出片７２とを有している。これら第１延出片７１及び第２延出片７２は、鎖錠部４側から、第１延出片７１、第２延出片７２の順に、繋がっている。
【００４９】
第１延出片７１は、矩形板状であって、端子部２の一表面２０に略平行する。第１延出片７１のうち、Ｙ軸方向における挿入口１１側の端部は、鎖錠部４に繋がっている。第１延出片７１のうち、Ｙ軸方向における鎖錠部４とは反対側の端部は、第２延出片７２に繋がっている。第２延出片７２は、矩形板状であって、第１延出片７１からＸ軸の正の向きに突出する。第２延出片７２と第１延出片７１とは、互いに略直交する。
【００５０】
つまり、第２延出片７２は、第１延出片７１と共に、Ｚ軸方向に直交する断面形状が略Ｌ字状の構造を構成する。そして、ばねブロック１３は、第１延出片７１を、対向部５の内側面５１に接触させることにより、端子ブロック１２に対してＸ軸方向における位置決めがなされる。また、ばねブロック１３は、端子ブロック１２と共に、後述するケース８に収納された状態で、第２延出片７２を、ケース８に接触させることにより、端子ブロック１２に対してＹ軸方向における位置決めがなされる。言い換えれば、ばねブロック１３は、第１延出片７１と第２延出片７２との連結部分からなる角部７３を、端子ブロック１２又はケース８に接触させることで、端子ブロック１２に対して位置決めがなされる。角部７３は、所定の曲率半径で湾曲している。
【００５１】
ここで、ばねブロック１３のＹ軸方向の寸法は、端子ブロック１２における対向部５のＹ軸方向の寸法以下に規定されている。図１Ｂの例では、ばねブロック１３のＹ軸方向の寸法は、端子ブロック１２における対向部５のＹ軸方向の寸法と同一である。また、ばねブロック１３のＸ軸方向の寸法は、端子ブロック１２における端子部２と対向部５との間隔よりやや小さく規定されている。さらに、ばねブロック１３のＺ軸方向の寸法は、端子ブロック１２における２つの側壁部６の間隔よりやや小さく規定されている。これにより、ばねブロック１３は、Ｘ軸方向及びＺ軸方向については若干の「あそび」がある状態で、筒状体１２０の内側に形成されている収容空間５０内に収納可能となる。
【００５２】
また、第１延出片７１の中央部には、第１延出片７１を厚み方向に貫通する貫通孔７１１が形成されている。貫通孔７１１は、開口形状が円形状である。さらに、第１延出片７１には、第１延出片７１を厚み方向に貫通し、貫通孔７１１から鎖錠部４に向かって延びるスリット７１２が形成されている。スリット７１２は、ばね部４２を通して鎖錠部４の先端縁４１まで延びている。２つの鎖錠部４は、このスリット７１２にて、Ｚ軸方向に分離されている。Ｚ軸方向におけるスリット７１２の幅は一定ではなく、貫通孔７１１から少なくともばね部４２にかけてのスリット７１２の幅は、鎖錠部４の先端縁４１でのスリット７１２の幅よりも広く設定されている。言い換えれば、ばね部４２のＺ軸方向の寸法は、鎖錠部４の先端縁４１のＺ軸方向の寸法より小さく設定されている。これにより、ばね部４２のＺ軸方向の寸法が鎖錠部４の先端縁４１のＺ軸方向の寸法と同一である場合に比べて、ばね部４２の弾性係数が低くなり、ばね部４２が撓みやすくなる。貫通孔７１１は端子装置１に必須の構成ではなく、貫通孔７１１は省略されてもよい。
【００５３】
（２．４）寸法関係
次に、端子ブロック１２にばねブロック１３が組み合わされた状態での、端子部２、押付部３及び鎖錠部４の寸法関係について、図４Ａを参照して説明する。図４Ａは、図１ＡのＺ２−Ｚ２線断面図である。また、図４Ａでは、電線１００を想像線（２点鎖線）で示している。
【００５４】
Ｘ軸方向において、押付部３と第１部位２１との間の距離である第１距離Ｌ１は、鎖錠部４と第２部位２２との間の距離である第２距離Ｌ２よりも大きく設定されている。第１距離Ｌ１は、押付部３のうち端子部２の一表面２０に最も近くなる接触部３４と、端子部２の一表面２０との間の最短距離である。同様に、第２距離Ｌ２は、鎖錠部４のうち端子部２の一表面２０に最も近くなる先端縁４１と、端子部２の一表面２０との間の最短距離である。
【００５５】
また、押付部３のうち、Ｙ軸方向における挿入口１１側の端部、つまり第３押付片３３は、Ｙ軸方向において挿入口１１に近づくほど端子部２から離れるように、端子部２の一表面２０に対して傾斜している。すなわち、第３押付片３３は、接触部３４から離れるほどに端子部２から離れるように傾斜しているため、第３押付片３３における接触部３４とは反対側の端縁においては、端子部２からの距離が、接触部３４に比べて大きくなる。ここでは、Ｘ軸方向において、第３押付片３３における接触部３４とは反対側の端縁と、端子部２の一表面２０との間の最短距離を、第３距離Ｌ３と規定する。
【００５６】
要するに、第１距離Ｌ１、第２距離Ｌ２及び第３距離Ｌ３の関係では、第２距離Ｌ２よりも第１距離Ｌ１が大きくなり、第１距離Ｌ１よりさらに第３距離Ｌ３が大きくなる（Ｌ２＜Ｌ１＜Ｌ３）。
【００５７】
ところで、挿入口１１から挿入される電線１００の線径φＸは、第１距離Ｌ１よりも大きく、第３距離Ｌ３よりも小さいことが好ましい。ここでいう電線１００の線径φＸは、端子装置１に接続可能な電線として規定された電線１００の線径φＸである。電線１００が絶縁電線である場合は、挿入口１１から挿入される心線の直径が線径φＸとなる。第１距離Ｌ１、第２距離Ｌ２、第３距離Ｌ３及び線径φＸの関係では、第２距離Ｌ２よりも第１距離Ｌ１が大きくなり、第１距離Ｌ１よりも線径φＸが大きくなり、線径φＸよりさらに第３距離Ｌ３が大きくなる（Ｌ２＜Ｌ１＜φＸ＜Ｌ３）。なお、ここでいう線径φＸは、挿入口１１から挿入される電線１００の外径（絶縁電線の場合は心線の直径）を意味しており、例えばＩＥＣ（International Electrotechnical Commission）規格等に準拠し、適宜決定される。
【００５８】
（２．５）電線の接続方法
次に、上述したような構成の端子装置１に対して電線１００を接続する方法について、図４Ａ及び図４Ｂを参照して説明する。図４Ａ及び図４Ｂは、図１ＡのＺ２−Ｚ２線断面図である。また、図４Ａ及び図４Ｂでは、電線１００を想像線（２点鎖線）で示している。図４Ａは、電線１００が接続されていない状態の端子装置１を示し、図４Ｂは、電線１００が接続された状態の端子装置１を示している。
【００５９】
作業者は、接続対象となる電線１００を、端子装置１に対して挿入口１１からＹ軸の正の向きに挿入する。電線１００が挿入されると、電線１００の先端は、まず、鎖錠部４と端子部２（第２部位２２）との間に導入される。ここにおいて、「（２．４）寸法関係」の欄で説明したように、第２距離Ｌ２と電線１００の線径φＸとの間には、「Ｌ２＜φＸ」という寸法関係がある。そのため、鎖錠部４が電線１００の先端に押されて、鎖錠部４の先端縁４１が端子部２の一表面２０から離れる向きに変位する。このとき、ばねブロック１３においては、ばね部４２の曲率半径が小さくなるようにばね部４２が弾性変形する。したがって、電線１００に対しては、鎖錠部４から、電線１００を端子部２に押し付ける向きの力が作用する。
【００６０】
この状態から電線１００が更に挿入されると、電線１００の先端は、押付部３と端子部２（第１部位２１）との間に導入される。ここにおいて、「（２．４）寸法関係」の欄で説明したように、第１距離Ｌ１と第３距離Ｌ３と電線１００の線径φＸとの間には、「Ｌ１＜φＸ＜Ｌ３」という寸法関係がある。そのため、電線１００の先端は、第３押付片３３にガイドされて、接触部３４と端子部２との間に誘い込まれることになる。そして、接触部３４が電線１００の先端に押されて押付部３の接触部３４が端子部２の一表面２０から離れる向きに変位する。このとき、端子ブロック１２においては、湾曲部３０１の曲率半径が大きくなるように連結部３０が弾性変形する。したがって、電線１００に対しては、押付部３から、電線１００を端子部２に押し付ける向きの力が作用する。
【００６１】
要するに、電線１００が所定の位置まで挿入された状態では、電線１００が押付部３にて端子部２の一表面２０（第１部位２１）に押し付けられるので、端子部２と電線１００との間に適度な接触圧が生じ、電線１００と端子部２とが電気的に接続される。さらに、この状態では、鎖錠部４の先端縁４１が電線１００に接触することによって、挿入口１１から電線１００が引き抜かれる向きへの電線１００の移動が規制され、電線１００の抜け止めがなされる。
【００６２】
ここにおいて、鎖錠部４の先端縁４１が端子部２の一表面２０から離れる向きに変位したときに、鎖錠部４が押付部３に接触しないように、鎖錠部４と押付部３との位置関係、及び鎖錠部４並びに押付部３の各々の寸法が規定されている。つまり、鎖錠部４の先端縁４１の軌跡上に押付部３が位置しないように、Ｙ軸方向における鎖錠部４及び押付部３の位置関係、及び鎖錠部４並びに押付部３の各々の寸法が規定されている。これにより、電線１００が挿入される際に、鎖錠部４と押付部３とは同時に変位するのではなく、先に鎖錠部４が変位し、その後に押付部３が変位することになる。したがって、鎖錠部４と押付部３とが同時に変位する構成に比べて、電線１００の挿入に必要な力の大きさが小さく抑えられる。このように鎖錠部４が押付部３に接触しないようにしながらも、Ｙ軸方向における第１部位２１と第２部位２２との間の距離は、極力小さいことが好ましい。第１部位２１と第２部位２２との間の距離が小さくなれば、挿入すべき電線１００の長さが短くなって、端子装置１の小型化につながる。
【００６３】
（２．６）全体構成
次に、図５〜図７Ｂを参照して、ケース８及び解除部材９を含む、端子装置１の全体構成について説明する。すなわち、端子装置１は、上述した端子ブロック１２及びばねブロック１３に加えて、ケース８及び解除部材９を更に備えている。また、図６Ａ及び図６Ｂは、それぞれ図７ＡのＺ１−Ｚ１線斜視断面図である。図７Ｂは、図７ＡのＺ２−Ｚ２線断面図である。また、図７Ｂでは、後述する空隙ＳＰ１を１点鎖線で示しているが、空隙ＳＰ１は説明のために表記しているに過ぎず、実体を伴わない。
【００６４】
ケース８は、電気絶縁性を有する材料、例えば合成樹脂にて構成されている。ケース８は、端子ブロック１２及びばねブロック１３を収納する空間を有する箱状に形成されている。端子ブロック１２及びばねブロック１３がケース８に収納された状態で、少なくとも筒状体１２０がケース８に対して固定される。図５〜図７Ｂでは、ケース８として、Ｙ軸の正の向きに開放された端子室８０を有する、箱状のボディのみを図示している。ただし、ケース８は、端子室８０の開口面を塞ぐようにボディと結合されるカバーを、更に備えている。つまり、端子ブロック１２及びばねブロック１３が端子室８０に収納された状態で、端子室８０の開口面がカバーによって塞がれる。そのため、ばねブロック１３は、第２延出片７２をカバーに接触させることにより、端子ブロック１２に対してＹ軸方向における位置決めがなされる。
【００６５】
ケース８のうち挿入口１１に対応する位置には、ケース８の底板をＹ軸方向に貫通する挿入孔８１が形成されている。挿入孔８１は、開口形状が円形状であり、２本の電線１００に対応するように２つ形成されている。挿入孔８１の内径は一定ではなく、電線１００を誘い込むように、Ｙ軸方向の一部において、挿入孔８１のケース８の外側から内側に向けて徐々に挿入孔８１の内径が小さくなっている。図５〜図７Ｂでは、挿入口１１の図示を省略しているが、このようなケース８を備える端子装置１においては、ケース８の挿入孔８１が挿入口１１に相当する。
【００６６】
また、ケース８のうちスリット２３に対応する位置には、ケース８の側壁をＸ方向に貫通する操作窓８２が形成されている。操作窓８２は、後述する解除部材９のガイド突起９３を通すための孔である。操作窓８２の内側面のうち、Ｚ軸方向に対向する一対の内側面には、解除部材９を保持するための一対の軸受部８３が形成されている。一対の軸受部８３には、後述する解除部材９の軸部９１が挿入される。
【００６７】
解除部材９は、鎖錠部４による電線１００の移動の規制、つまり鎖錠部４による電線１００の抜け止めを解除するための部材である。解除部材９は、電気絶縁性を有する材料、例えば合成樹脂にて構成されている。解除部材９は、端子部２に対して、通常位置と解除位置との間で相対的に移動可能に構成される。通常位置とは、解除部材９が鎖錠部４による電線１００の抜け止めを解除しない状態にあるときの解除部材９の位置をいう。一方、解除位置とは、解除部材９が鎖錠部４による電線１００の抜け止めを解除する状態にあるときの解除部材９の位置をいう。つまり、解除部材９は、通常位置から解除位置に移動するとき、鎖錠部４に対して第２部位２２から離れる向きの力を作用させ、鎖錠部４による電線１００の移動の規制（抜け止め）を解除する。図６Ａ〜図７Ｂでは、解除部材９が通常位置にある状態を表している。
【００６８】
具体的には、解除部材９は、軸部９１と、操作部９２と、ガイド突起９３とを有している。
【００６９】
軸部９１は、Ｚ軸方向に沿った円柱状に形成されている。解除部材９は、軸部９１のＺ軸方向の両端部が一対の軸受部８３に挿入されることによって、ケース８に対して軸部９１を中心として回転可能な状態で、ケース８に保持される。これにより、解除部材９は、軸部９１を中心として、通常位置と解除位置との間で回転（移動）可能となる。ここでは、軸受部８３は、図６Ａ及び図６Ｂに示すように、Ｘ軸の負の向きに開放されている。ただし、端子ブロック１２がケース８に収納された状態では、端子ブロック１２の連結部３０によってＸ軸の負の向きへの軸部９１の移動が規制され、軸受部８３からの軸部９１の脱落が防止される。また、解除部材９のうち、端子室８０の底面に対向する面は、軸部９１を中心とする略円弧状に形成されていることが好ましい。これにより、解除部材９が軸部９１を中心に解除部材９が回転したときに、解除部材９から端子室８０の底面までの距離が大きく変動せず、解除部材９とケース８との干渉を回避できる。
【００７０】
操作部９２は、解除部材９を通常位置から解除位置に移動させる際に操作される部分である。解除部材９は、少なくとも操作部９２の一部がケース８から露出するように、ケース８に保持されている。また、操作部９２は、Ｚ軸方向の寸法がケース８の操作窓８２の幅よりも大きく設定されている。したがって、操作部９２は、解除部材９の操作時に、ケース８における操作窓８２の周辺部分に接触することにより、解除部材９の可動範囲を規制するストッパとしても機能する。
【００７１】
ガイド突起９３は、電線１００の移動方向をＹ軸方向に規制するためのガイド部の少なくとも一部を構成する。ガイド部は、端子部２の一表面２０から突出し、電線１００に対してＺ軸方向の両側に位置する部材である。ガイド部については、「（２．７）ガイド部」の欄で詳しく説明する。解除部材９は、少なくともガイド突起９３の一部が、ケース８の操作窓８２及び端子部２のスリット２３を通して、収容空間５０に挿入されるように、ケース８に保持されている。
【００７２】
ガイド突起９３は、Ｙ軸方向において鎖錠部４の両側に位置する第１突片９３１と第２突片９３２とを有している。第１突片９３１は、Ｙ軸方向において、鎖錠部４に対して挿入口１１（挿入孔８１）側に位置する。第２突片９３２は、Ｙ軸方向において、鎖錠部４に対して挿入口１１（挿入孔８１）とは反対側に位置する。つまり、第１突片９３１と第２突片９３２とは、収容空間５０内において、鎖錠部４を挟むような位置関係にある。本実施形態では、第１突片９３１は台形板状であって、第２突片９３２は矩形板状である。
【００７３】
第１突片９３１は、作用部９４及び回避部９５を含んでいる。台形板状の第１突片９３１においては、台形の上底（平行する２辺のうち短い方の辺）と台形の脚（不平行な２辺のうち一方の辺）との間の角部が作用部９４に相当し、台形の上底が回避部９５に相当する。
【００７４】
作用部９４は、解除部材９が通常位置から解除位置に移動する際に、鎖錠部４に第２部位２２から離れる向きの力を作用させる部分である。つまり、解除部材９は、通常位置から解除位置に移動するときに、作用部９４にて、鎖錠部４に接触して鎖錠部４に対して端子部２の一表面２０から離れる向きの力を作用させる。作用部９４は、鎖錠部４のうち先端縁４１寄りの部位に対向する。これにより、解除部材９は、通常位置から解除位置に移動するときに、作用部９４にて鎖錠部４の先端縁４１付近に接触する。そのため、解除部材９は、鎖錠部４に対し、ばね部４２を支点として比較的大きなモーメントを作用させることができ、結果的に、比較的小さな力で鎖錠部４を変位させることができる。
【００７５】
回避部９５は、解除部材９が通常位置から解除位置に移動するときに作用部９４以外での鎖錠部４との接触を回避するための空隙ＳＰ１（図７Ｂ参照）を、鎖錠部４との間に形成する。そのため、回避部９５が無く第１突片９３１が空隙ＳＰ１を埋めるような形状（三角形板状）である場合に比べて、小さな力で鎖錠部４を変位させることができる。すなわち、回避部９５によって、第１突片９３１と鎖錠部４との間には空隙ＳＰ１が形成されるので、解除部材９は、通常位置から解除位置に移動するときに、作用部９４以外での鎖錠部４との接触を回避できる。そのため、解除部材９は、通常位置から解除位置に移動する際に、作用部９４にて鎖錠部４の先端縁４１付近に接触し続けることができ、鎖錠部４に対し、ばね部４２を支点として比較的大きなモーメントを作用させることができる。
【００７６】
上記構成により、端子装置１と電線１００との接続を解除する場合、作業者は、解除部材９を操作することで、鎖錠部４による電線１００の抜け止めを解除して、挿入口１１から電線１００を抜去することができる。すなわち、解除部材９が通常位置にある状態から、作業者が操作部９２を図７Ｂに矢印Ａ１で示す向きに押すと、解除部材９が軸部９１を中心にして解除位置に移動する。このとき、作用部９４は、図７Ｂに矢印Ａ２で示す向きに移動し、鎖錠部４の先端縁４１に対して第２部位２２から離れる向きの力を作用させる。先端縁４１が第２部位２２から離れる向きに移動すると、鎖錠部４が電線１００から離れて、鎖錠部４による電線１００の移動の規制（抜け止め）が解除される。
【００７７】
また、本実施形態では、２つの鎖錠部４に対して、１つの解除部材９から同時に力が作用するように構成されている。つまり、解除部材９のガイド突起９３は、Ｚ軸方向において２つの鎖錠部４に跨る位置に配置されている。これにより、解除部材９が通常位置から解除位置に移動すると、２つの鎖錠部４に対して、第２部位２２から離れる向きの力が同時に作用し、２つの鎖錠部４について同時に抜け止めが解除される。
【００７８】
ところで、上述したような端子装置１は、以下の手順で組み立て可能である。端子ブロック１２、ばねブロック１３及び解除部材９は、ケース８に対して、ばねブロック１３、端子ブロック１２、解除部材９の順に取り付けられる。具体的には、まず、ばねブロック１３が、ケース８の端子室８０に収納される。次に、端子ブロック１２が、ケース８の端子室８０に収納される。このとき、先に端子室８０に収納されているばねブロック１３は、端子ブロック１２のうちＹ軸方向における挿入口１１側の端面に形成された開口部１２１から、収容空間５０に導入されることになる。つまり、端子ブロック１２の開口部１２１を通して、筒状体１２０の内側の収容空間５０に、ばねブロック１３が導入されるようにして、端子ブロック１２とばねブロック１３とが組み合わされる。次に、解除部材９が、ケース８の軸受部８３に軸部９１の両端部を挿入するように、ケース８に取り付けられる。
【００７９】
上述したような組み立て手順によれば、端子装置１の組み立てを自動化することも可能である。要するに、上記組み立て手順では、ケース８に対して、端子室８０の開口面側（Ｙ軸の正の側）から、ばねブロック１３、端子ブロック１２、解除部材９を順に落下させるだけで、端子装置１の組み立てが可能である。したがって、端子装置１の組み立ては、自動組立機にて容易に実現可能である。
【００８０】
（２．７）ガイド部
次に、電線１００の移動方向をＹ軸方向に規制するためのガイド部について、図８Ａ及び図８Ｂを参照して説明する。図８Ａ及び図８Ｂは、図７ＡのＺ２−Ｚ２線断面図であって、解除部材９を想像線（２点鎖線）で示している。また、図８Ａ及び図８Ｂでは、後述する位置Ｐ１〜Ｐ３を１点鎖線で示しているが、位置Ｐ１〜Ｐ３は説明のために表記しているに過ぎず、実体を伴わない。
【００８１】
ガイド部は、端子部２の一表面２０から突出し、電線１００に対してＺ軸方向の両側に位置することにより、電線１００の移動方向をＹ軸方向に規制する。本実施形態では、ガイド部は、側壁部６及びガイド突起９３にて構成されている。言い換えれば、側壁部６及びガイド突起９３は、それぞれガイド部としての機能を備えている。つまり、挿入口１１（挿入孔８１）から挿入される電線１００は、Ｚ軸方向の両側に位置する側壁部６及びガイド突起９３に接触することにより、Ｚ軸方向への移動が規制される。Ｘ軸方向への電線１００の移動は、鎖錠部４及び押付部３と、端子部２との間に電線１００が挟まれることによって規制されている。
【００８２】
本実施形態では、端子装置１は２極型の端子装置であるので、ガイド部は、２本の電線１００に対応するように構成されている。具体的には、収容空間５０のＺ軸方向の両側には２つの側壁部６が位置し、これら２つの側壁部６の中間位置にガイド突起９３が位置している。そのため、収容空間５０は、Ｚ軸方向においてガイド突起９３にて２つの領域に区分され（図７Ａ参照）、これら２つの領域が２本の電線１００にそれぞれ対応する。そして、一方の電線１００については、一方の側壁部６及びガイド突起９３がガイド部として機能し、他方の電線１００については、他方の側壁部６及びガイド突起９３がガイド部として機能する。
【００８３】
とくに、電線１００が複数本の導線からなる心線を有する撚り線である場合には、ガイド部によって電線１００の移動方向が規制されることにより、心線を構成する複数本の導線がばらばらになりにくい。すなわち、挿入口１１（挿入孔８１）から挿入される電線１００は、電線１００の先端は、まず、鎖錠部４と端子部２との間に導入され、次に、押付部３と端子部２との間に導入される。このとき、図８Ａ及び図８Ｂに示すように、電線１００は、まず位置Ｐ１にて鎖錠部４と接触し、次に位置Ｐ２にて、鎖錠部４の先端縁４１と端子部２との間に挟まれ、その後、位置Ｐ３にて、押付部３と端子部２との間に挟まれることになる。そのため、位置Ｐ１〜Ｐ３の各々において、電線１００の先端には、鎖錠部４又は押付部３から反力が作用することになり、心線を構成する複数本の導線がばらばらになりやすい。
【００８４】
ここで、ガイド突起９３は、Ｙ軸方向において鎖錠部４の両側に位置する第１突片９３１と第２突片９３２とを有しているため、位置Ｐ１については、第１突片９３１でカバーでき、位置Ｐ２，Ｐ３については第２突片９３２でカバーすることが可能である。つまり、位置Ｐ１においては、電線１００のＺ軸方向の両側に第１突片９３１及び側壁部６が位置するため、心線を構成する複数本の導線がばらばらになることが抑制される。位置Ｐ２，Ｐ３においては、電線１００のＺ軸方向の両側に第２突片９３２及び側壁部６が位置するため、心線を構成する複数本の導線がばらばらになることが抑制される。
【００８５】
（２．８）配線器具
上述した構成の端子装置１は、例えば図９に示すような配線器具１０に用いられる。図９に例示する配線器具１０は、建物の壁などに取り付けて使用されるスイッチである。この配線器具１０は、直方体状の器具本体１０１と、器具本体１０１に収納された端子装置１とを備えている。図９の例では、器具本体１０１の前面にハンドル１０２が設けられている。この配線器具１０は、ハンドル１０２が押される度に、器具本体１０１内の接点のオン／オフが切り替わるように構成されている。
【００８６】
配線器具１０は、上述した構成の端子装置１を４つ備えている。４つの端子装置１は、それぞれ器具本体１０１の後面に挿入孔８１が露出するように、器具本体１０１に収納されている。これにより、配線器具１０においては、器具本体１０１の後面側から電線１００が挿入されることにより、電線１００の接続が可能になる。４つの端子装置１は、Ｚ軸方向に並ぶように２つの端子装置１を１組として、器具本体１０１におけるＸ軸方向の両端部に１組ずつ配置されている。そのため、器具本体１０１の後面には、Ｚ軸方向に４つずつ、Ｘ軸方向に２つずつ並ぶように、計８つの挿入孔８１が形成される。
【００８７】
ところで、器具本体１０１の寸法は、例えば「１個モジュール寸法」のように、各国の規格などによって決められていることが多い。このような器具本体１０１において、Ｚ軸方向に４つもの挿入孔８１を並べようとすると、挿入孔８１間の間隔、つまり端子装置１のＺ軸方向の寸法を小さく抑える必要がある。本実施形態に係る端子装置１は、Ｚ軸方向の寸法を抑えやすい構成であるので、このような配線器具１０に特に適している。
【００８８】
ここで、端子装置１のケース８（図５参照）は、器具本体１０１の器体とは別体であってもよいし、器具本体１０１の器体の一部であってもよい。また、解除部材９（図７参照）は、少なくとも操作部９２（図７参照）の一部が器具本体１０１の器体から露出するように、器具本体１０１の器体又はケース８に保持される。
【００８９】
（３）利点
以上説明したように、第１の態様に係る端子装置１は、端子部２と、押付部３と、鎖錠部４と、対向部５と、側壁部６と、を備える。押付部３は、端子部２の一表面２０と対向するように配置され、挿入口１１から挿入方向（Ｙ軸方向）に沿って挿入される電線１００を端子部２との間に挟み込む。鎖錠部４は、端子部２の一表面２０と対向するように配置され、電線１００に接触して電線１００の挿入口１１側への移動を規制する。対向部５は、端子部２の一表面２０と対向するように配置され、端子部２との間に押付部３及び鎖錠部４が収まる収容空間５０を形成する。側壁部６は、端子部２と対向部５とを連結する。側壁部６は、端子部２及び対向部５のうち、端子部２の一表面２０に平行であって挿入方向に直交する幅方向（Ｚ軸方向）の少なくとも一端部同士を連結している。
【００９０】
この構成によれば、電線１００は、押付部３と端子部２との間、及び鎖錠部４と端子部２との間の２箇所で保持されるので、挿入方向（Ｙ軸方向）に対して電線１００が傾きにくくなる。そのため、電線１００は、電線１００の硬さによらず端子部２に対して面接触することが可能となり、電線１００と端子部２との接触状態が安定する。したがって、端子装置１では、端子部２に対する電線１００の接触状態が不安定になりにくい、という利点がある。電線１００と端子部２との接触状態が安定すれば、電線１００と端子部２との間の接触抵抗も安定し、接触抵抗が高くなることによる端子部２の温度上昇が抑制される。
【００９１】
さらに、上記構成の端子装置１によれば、側壁部６にて、電線１００の移動方向を挿入方向（Ｙ軸方向）に規制するためのガイド部の少なくとも一部を構成することができる。電線１００の移動方向の規制は、例えば、端子部２の一表面２０に挿入方向に延びるガイド溝を形成することでも実現可能であるが、側壁部６をガイド部として用いることにより、幅方向（Ｚ軸方向）において端子装置１の小型化が可能である。すなわち、端子部２にガイド溝が形成される場合、幅方向において連結部３０と同じ位置にガイド溝を形成することは構造上困難であるため、連結部３０とガイド溝とは幅方向にずれた位置に設けられる。この場合、端子装置１の幅方向の寸法はガイド溝の分だけ大きくなる。これに対して、側壁部６がガイド部の少なくとも一部を兼ねる構成では、端子装置１の幅方向の寸法を小さく抑えることが可能である。
【００９２】
また、第２の態様に係る端子装置１は、第１の態様において、端子部２と押付部３とを連結する連結部３０を更に備え、連結部３０は、端子部２のうち、挿入方向（Ｙ軸方向）における挿入口１１とは反対側の端部と、押付部３とを連結していることが好ましい。この構成によれば、端子部２との間に電線１００を挟み込むことにより電線１００を端子部２に押し付ける押付部３は、連結部３０によって端子部２に連結されている。言い換えれば、押付部３は端子部２と一部品として扱うことができる。そのため、端子部２と押付部３とが別部品である構成に比べて、端子部２に対する電線１００の押付力にばらつきが生じにくく、結果的に、端子装置１では、端子部２に対する電線１００の接触状態がより安定する。しかも、この構成によれば、挿入口１１から挿入される電線１００と連結部３０との干渉が生じにくく、連結部３０の設計の自由度が高くなる。ただし、この構成は端子装置１に必須の構成ではなく、例えば、連結部３０は省略されてもよい。さらに、例えば、連結部３０は、端子部２のうち、挿入方向における挿入口１１側の端部と、押付部３とを連結していてもよい。又は、連結部３０は、端子部２のうち、Ｚ軸方向における一端部と、押付部３とを連結していてもよい。
【００９３】
また、第３の態様に係る端子装置１は、第２の態様において、挿入方向（Ｙ軸方向）において、距離Ｌ１０は、距離Ｌ１１以下であることが好ましい。距離Ｌ１０は、連結部３０における挿入口１１とは反対側の端部から挿入口１１までの距離である。距離Ｌ１１は、対向部５及び側壁部６における挿入口１１とは反対側の端部から挿入口１１までの距離である。この構成によれば、連結部３０が端子部２から挿入口１１とは反対側に突出しながらも、対向部５及び側壁部６で囲まれた領域からはみ出さない。そのため、連結部３０の突出量の分だけ、押付部３が変位する際の支点から押付部３までの距離を大きくして、連結部３０の変形量（撓み量）を小さく抑えながらも、連結部３０が対向部５及び側壁部６で囲まれた堅牢な構造とすることができる。つまり、連結部３０が対向部５及び側壁部６からはみ出さないので、組み立て前において、連結部３０が変形したり、端子ブロック１２同士が絡まったりすることが抑制される。ただし、この構成は端子装置１に必須の構成ではなく、例えば、距離Ｌ１０は距離Ｌ１１より大きくてもよい。
【００９４】
また、第４の態様に係る端子装置１は、第１〜３のいずれかの態様において、端子部２の一表面２０から突出しており、電線１００に対して幅方向（Ｚ軸方向）の両側に位置するガイド部（側壁部６及びガイド突起９３）を更に備えることが好ましい。この構成によれば、一表面２０に沿う平面内での挿入方向（Ｙ軸方向）以外への電線１００の移動が、ガイド部にて規制されることになるので、電線１００の挿入作業の作業性が向上する。とくに、電線１００が複数本の導線からなる心線を有する撚り線である場合には、電線１００がガイド部の間を通ることで、心線を構成する複数本の導線がばらばらになりにくい。ただし、この構成は端子装置１に必須の構成ではなく、ガイド部は省略されてもよい。
【００９５】
また、第５の態様に係る端子装置１は、第１〜３のいずれかの態様において、端子部２に対し、通常位置と解除位置との間で相対的に移動可能な解除部材９を更に備えることが好ましい。解除部材９は、通常位置から解除位置に移動するとき、鎖錠部４に対して端子部２の一表面２０から離れる向きの力を作用させ、鎖錠部４による電線１００の移動の規制を解除することが好ましい。この構成によれば、解除部材９の操作によって、鎖錠部４による電線１００の移動の規制を解除した状態で、容易に電線１００の抜去が可能となる。ただし、この構成は端子装置１に必須の構成ではなく、例えば、解除部材９は省略されてもよい。
【００９６】
また、第６の態様に係る端子装置１は、第５の態様において、端子部２の一表面２０から突出しており、電線１００に対して幅方向（Ｚ軸方向）の両側に位置するガイド部（側壁部６及びガイド突起９３）を更に備えることが好ましい。この構成によれば、一表面２０に沿う平面内での挿入方向（Ｙ軸方向）以外への電線１００の移動が、ガイド部にて規制されることになるので、電線１００の挿入作業の作業性が向上する。とくに、電線１００が複数本の導線からなる心線を有する撚り線である場合には、電線１００がガイド部の間を通ることで、心線を構成する複数本の導線がばらばらになりにくい。ただし、この構成は端子装置１に必須の構成ではなく、ガイド部は省略されてもよい。
【００９７】
また、第７の態様に係る端子装置１は、第６の態様において、解除部材９は、ガイド部の少なくとも一部を構成するガイド突起９３を有することが好ましい。この構成によれば、解除部材９が、電線１００の移動方向を規制するガイド部の少なくとも一部として兼用されるので、解除部材９と別にガイド部を設ける場合に比べて、構造の簡略化、及び小型化を図ることができる。ただし、この構成は端子装置１に必須の構成ではなく、ガイド突起９３は省略されてもよい。
【００９８】
また、第８の態様に係る端子装置１は、第７の態様において、ガイド突起９３は、第１突片９３１と、第２突片９３２と、を有することが好ましい。第１突片９３１は、挿入方向（Ｙ軸方向）において、鎖錠部４に対して挿入口１１側に位置する。第２突片９３２は、挿入方向において、鎖錠部４に対して挿入口１１とは反対側に位置する。この構成によれば、ガイド突起９３は、鎖錠部４に対して挿入口１１側の位置Ｐ１（図８Ａ参照）と、鎖錠部４に対して挿入口１１とは反対側の位置Ｐ２，Ｐ３（図８Ａ参照）との両方において、電線１００の移動方向を規制できる。ただし、この構成は端子装置１に必須の構成ではなく、例えば、第１突片９３１と第２突片９３２との一方が省略されてもよい。
【００９９】
また、第９の態様に係る端子装置１は、第８の態様において、第１突片９３１は、作用部９４を含んでいることが好ましい。作用部９４は、解除部材９が通常位置から解除位置に移動するときに、鎖錠部４に接触して鎖錠部４に対して端子部２の一表面２０から離れる向きの力を作用させる。この構成によれば、電線１００の移動方向を規制するガイド突起９３の一部が、作用部９４として兼用されるので、ガイド突起９３と別に作用部９４を設ける場合に比べて、構造の簡略化、及び小型化を図ることができる。ただし、この構成は端子装置１に必須の構成ではなく、ガイド突起９３とは別に作用部９４が設けられていてもよい。
【０１００】
また、第１０の態様に係る端子装置１は、第９の態様において、第１突片９３１は、回避部９５を含んでいることが好ましい。回避部９５は、解除部材９が通常位置から解除位置に移動するときに作用部９４以外での鎖錠部４との接触を回避するための空隙ＳＰ１（図７Ｂ参照）を鎖錠部４との間に形成する。この構成によれば、解除部材９は、通常位置から解除位置に移動する際に、作用部９４にて鎖錠部４の先端縁４１付近に接触し続けることができ、鎖錠部４に対し、ばね部４２を支点として比較的大きなモーメントを作用させることができる。そのため、解除部材９は、比較的小さな力で鎖錠部４を変位させることができる。ただし、この構成は端子装置１に必須の構成ではなく、回避部９５は省略されていてもよい。
【０１０１】
また、第１１の態様に係る端子装置１は、第１〜１０のいずれかの態様において、押付部３は複数（実施形態１では２つ）設けられており、複数の押付部３の各々は、端子部２との間に個別に電線１００を挟み込むことが好ましい。この構成によれば、複数の挿入口１１からそれぞれ挿入される複数の電線１００に対して、押付部３が個別に押付力を作用させるため、電線１００に対する押付部３の追従性が向上し、電線１００と端子部２との接触状態が安定する。ただし、この構成は端子装置１に必須の構成ではなく、例えば、１つの押付部３が端子部２との間に、複数の挿入口１１からそれぞれ挿入される複数の電線１００を挟み込む構成であってもよい。
【０１０２】
また、配線器具１０は、第１〜１１のいずれかの態様に係る端子装置１と、端子装置１を収納した器具本体１０１とを備える。この構成によれば、配線器具１０において、端子部２に対する電線１００の接触状態が不安定になりにくい、という利点がある。ただし、端子装置１は、配線器具１０用に限らず、例えば家電機器等の電気機器に用いられてもよいし、端子装置１単体で用いられてもよい。
【０１０３】
（４）変形例
実施形態１に係る端子装置１は、本発明の一例に過ぎず、本発明は、実施形態１に限定されることはなく、実施形態１以外であっても、本発明に係る技術的思想を逸脱しない範囲であれば、設計等に応じて種々の変更が可能である。以下に、実施形態１の変形例を列挙する。
【０１０４】
実施形態１では、側壁部６は、端子部２及び対向部５のうち、Ｚ軸方向の両端部同士を連結しているが、この構成に限らず、側壁部６は、端子部２及び対向部５のうち、Ｚ軸方向の一端部同士を連結していてもよい。すなわち、端子装置１は、側壁部６を１つのみ備え、端子部２におけるＺ軸方向の一端部と、対向部５におけるＺ軸方向の一端部とが、側壁部６にて連結された構成であってもよい。この場合、端子部２、対向部５及び側壁部６は、筒状にはならず、Ｙ軸方向の一方から見て略Ｃ字状になる。
【０１０５】
また、実施形態１では、電線１００の移動方向を規制するガイド部は、側壁部６及びガイド突起９３にて構成されているが、この構成に限らず、他の構成のガイド部にて電線１００の移動方向が記載されてもよい。一例として、端子部２の一表面２０のうちスリット２３のＺ軸方向の両端縁から、Ｘ軸の負の向きに突出するガイド片が設けられていてもよい。この場合、ガイド片が、ガイド突起９３に代えて、側壁部６と共にガイド部を構成することになる。ここで、ガイド片は、電線１００を包むようにカールした形状であってもよい。又は、端子部２の一表面２０に、Ｙ軸方向に延びるガイド溝が設けられていてもよい。この場合、ガイド溝が、ガイド部を構成することになる。ガイド溝は、例えば打ち出し加工、又は切削加工などによって形成される。
【０１０６】
また、筒状体１２０の一部に形成されるスリット２３は、端子部２ではなく、対向部５又は側壁部６に形成されていてもよい。この場合、スリット２３とは別に、収容空間５０にガイド突起９３を導入するための孔が端子部２に形成されることが好ましい。
【０１０７】
また、端子部２の一表面２０は平坦面に限らず、例えばローレット加工などにより、一表面２０に複数の凹凸が形成されていてもよい。この場合、端子装置１に対して電線１００が抜き差しされる度に、複数の凹凸により電線１００（心線）の表面の酸化被膜を除去することができる。さらに、複数の凹凸は、Ｙ軸方向における電線１００の滑り止めとしても機能する。
【０１０８】
また、実施形態１では、Ｙ軸方向において、押付部３と挿入口１１との間に鎖錠部４が位置するが、この構成に限らず、例えば、Ｙ軸方向において、鎖錠部４と挿入口１１との間に押付部３が位置してもよい。
【０１０９】
また、実施形態１では、押付部３と鎖錠部４とは別個の部材であるが、この構成に限らず、押付部３と鎖錠部４とは一体化されていてもよい。さらに、押付部３の形状、及び鎖錠部４の形状は、実施形態１で説明した形状に限らず、適宜変更可能である。
【０１１０】
また、実施形態１では、ばねブロック１３は、端子ブロック１２又はケース８に接触することによって、端子ブロック１２に対して位置決めされているが、この構成に限らず、ばねブロック１３は、端子ブロック１２のみに接触して位置決めされてもよい。具体的には、例えば、対向部５のうちＹ軸方向における挿入口１１とは反対側の端部から、Ｘ軸の正の向きに突出する規制片が設けられていればよい。この場合、ばねブロック１３の第２延出片７２が規制片に接触することにより、ばねブロック１３は、端子ブロック１２に対してＹ軸方向における位置決めがなされる。
【０１１１】
また、端子ブロック１２を構成する端子部２、押付部３、対向部５、側壁部６及び連結部３０は、１枚の金属板が曲げ加工されることにより形成される構成に限らず、例えば押出成形などで形成されてもよい。同様に、ばねブロック１３を構成する鎖錠部４及び延出部７は、１枚の金属板が曲げ加工されることにより形成される構成に限らず、例えば押出成形などで形成されてもよい。
【０１１２】
また、接触部３４が所定の曲率半径で湾曲していることは端子装置１に必須の構成ではなく、例えば接触部３４が角張っていてもよい。同様に、端子ブロック１２の第１角部６１並びに第２角部６２、及び延出部７の角部７３においても、所定の曲率半径で湾曲していることは端子装置１に必須の構成ではなく、例えば角張っていてもよい。ばね部４２についても、所定の曲率半径で湾曲していることは端子装置１に必須の構成ではなく、例えば角張っていてもよい。また、連結部３０は湾曲部３０１を有しなくてもよい。
【０１１３】
また、端子ブロック１２は導電性を有していればよく、端子ブロック１２の材料は銅に限らず、例えば黄銅、すず（Ｓｎ）青銅、又はりん（Ｐ）青銅等の銅合金などであってもよい。同様に、ばねブロック１３は弾性を有していればよく、ばねブロック１３の材料はステンレス鋼に限らず、例えば鉄（Ｆｅ）又は銅合金などであってもよい。端子ブロック１２（押付部３）とばねブロック１３（鎖錠部４）とは、同一の材料で構成されていてもよい。
【０１１４】
また、端子装置１は、電線１００を２本まで接続可能な２極型の端子装置に限らず、例えば３本の電線１００を接続可能な３極型、又は４本の電線１００を接続可能な４極型等、３本以上の電線１００を接続可能な端子装置であってもよい。この場合、端子装置１においては、押付部３、鎖錠部４及び連結部３０は、極数と同じ数だけ設けられることが好ましい。つまり、３極型の端子装置１においては、押付部３、鎖錠部４及び連結部３０は３つずつ設けられることが好ましい。
【０１１５】
また、押付部３と連結部３０と端子部２とが一体でなくてもよく、押付部３と連結部３０と端子部２とは別体であってもよい。具体的には、別体に構成された押付部３と連結部３０と端子部２とが、例えば、かしめ、溶接、又は圧着等により結合されていてもよい。
【０１１６】
また、実施形態１では、解除部材９は電線１００の抜去時にのみ操作されるように説明したが、電線１００の挿入時に操作されてもよい。つまり、作業者は、端子装置１に電線１００を接続する際、解除部材９を操作して鎖錠部４の先端縁４１を端子部２の一表面２０から離れる向きに変位させた状態で、電線１００を挿入してもよい。さらに、解除部材９は、作業者が手で直接操作してもよいし、ドライバ等の治具を用いて操作されてもよい。
【０１１７】
（実施形態２）
本実施形態に係る端子装置１Ａは、電線を１本だけ接続可能な単極型の端子装置である。以下、実施形態１と同様の構成については、共通の符号を付して適宜説明を省略する。
【０１１８】
端子装置１Ａは、図１０に示すように、実施形態１に係る端子装置１（図６Ａ及び図６Ｂ参照）をＺ軸方向に２等分した構成に相当する。すなわち、端子装置１Ａは、挿入口１１が１つだけあり、１つの挿入口１１を通して１本の電線１００を接続可能である。この端子装置１Ａでは、１本の電線１００が１つの端子部２に対して電気的に接続される。端子装置１Ａにおいては、押付部３、鎖錠部４、対向部５、側壁部６及び連結部３０は１つずつ設けられている。
【０１１９】
以上説明した本実施形態の端子装置１Ａにおいても、実施形態１と同様に、端子部２に対する電線１００の接触状態が不安定になりにくい、という利点がある。また、端子装置１Ａは、実施形態１と同様に、配線器具１０（図９参照）に用いられてもよい。
【０１２０】
実施形態２の構成は、実施形態１の構成（変形例を含む）と適宜組み合わせて適用可能である。
【符号の説明】
【０１２１】
１，１Ａ  端子装置
２  端子部
３  押付部
４  鎖錠部
５  対向部
６  側壁部（ガイド部）
３０  連結部
９  解除部材
１０  配線器具
１１  挿入口
２０  一表面
９３  ガイド突起（ガイド部）
９４  作用部
９５  回避部
１００  電線
１０１  器具本体
９３１  第１突片
９３２  第２突片
Ｌ１０，Ｌ１１  距離
ＳＰ１  空隙
【図１】
2017204415.tif 000003
【図２】
2017204415.tif 000004
【図３】
2017204415.tif 000005
【図４】
2017204415.tif 000006
【図５】
2017204415.tif 000007
【図６】
2017204415.tif 000008
【図７】
2017204415.tif 000009
【図８】
2017204415.tif 000010
【図９】
2017204415.tif 000011
【図１０】
2017204415.tif 000012